(57)【要約】【課題】非矩形状の表示領域においても、額縁の形状と表示領域の形状を同一もしくは同様とし、且つ狭額縁化を実現することのできる表示装置を提供する。【解決手段】非矩形状の表示領域と、表示領域の外周に配置された駆動回路部と、を有し、駆動回路部は、少なくとも２つのゲートドライバと、少なくとも２つのソースドライバと、を有し、ゲートドライバの一方とゲートドライバの他方は、離間して配置され、ソースドライバの一方とソースドライバの他方は、離間して配置される。【選択図】図１
2020154330.tif 000002
【特許請求の範囲】
【請求項１】
第１の表示領域と、
第２の表示領域と、
第１の駆動回路部と、
第２の駆動回路部と、を有し、
前記第１の駆動回路部は、第１のゲートドライバと第１のソースドライバを有し、
前記第２の駆動回路部は、第２のゲートドライバと第３のゲートドライバと、第２のソースドライバと第３のソースドライバを有し、
前記第２のゲートドライバと前記第３のゲートドライバは、互いに離間し、かつ互いに対向して配置され、
前記第２のソースドライバと前記第３のソースドライバは、互いに離間し、かつ互いに対向して配置され、
前記第１の表示領域は矩形状であり、
前記第２の表示領域は非矩形状であり、
前記第１のゲートドライバは、前記第２の表示領域の少なくとも一部と前記第１の表示領域の信号線を制御する、ことを特徴とする表示装置。
【発明の詳細な説明】
【技術分野】
【０００１】
本発明の一態様は、物、方法、製造方法、プロセス、マシーン、マニュファクチャー、
または、組成物（コンポジション  オブ  マター）に関する。特に、本発明の一態様は、
例えば、半導体装置、表示装置、発光装置、電子機器、それらの駆動方法に関する。特に
、本発明の一態様は、例えば、非矩形状の表示領域を有する表示装置に関する。また、本
発明の一態様は、例えば、非矩形状の表示領域を有する表示装置の駆動回路に関する。
【０００２】
なお、表示装置とは、表示素子を有する装置のことをいう。なお、表示装置は、複数の
画素を駆動させる駆動回路等を含む。なお、表示装置は、別の基板上に配置された制御回
路、電源回路、信号生成回路等を含む。
【背景技術】
【０００３】
テレビ、携帯端末等に向けて既に広く応用されているフラットパネルディスプレイは、
新たなニーズとして、腕時計、車載機器、特にインストルメントパネル等への応用が期待
されている。
【０００４】
従来のフラットパネルディスプレイは、表示領域が矩形状であるため、表示領域を行、
列単位で制御するマトリクス駆動と相性が良く、殆どのフラットパネルディスプレイでマ
トリクス駆動が採用されている。一方で腕時計や車載機器への応用を考えたとき、その意
匠面から、表示領域を非矩形状とする要求が高まっている。
【０００５】
表示領域を非矩形状とする表示装置としては、特許文献１乃至特許文献３、及び非特許
文献１のようなものが開示されている。
【先行技術文献】
【特許文献】
【０００６】
【特許文献１】特開２００６−２７６３５９号公報
【特許文献２】特開２００９−６９７６８号公報
【特許文献３】特開２００７−２７２２０３号公報
【非特許文献１】ＳＩＤ  ０８  ＤＩＧＥＳＴ  ｐａｇｅ  ９５１−９５４
【発明の概要】
【発明が解決しようとする課題】
【０００７】
特許文献１、及び特許文献２に開示された態様においては、表示領域の上下左右のいず
れか一つに設けられた駆動回路から、非矩形状の表示領域に向かって信号線を引き回して
いる。従って、表示領域が非矩形状であっても、従来と同じマトリクス駆動が可能である
半面、表示領域の外側に、相応の額縁領域を必要とする。例えば、表示領域が円形もしく
は楕円形の場合、駆動回路の配置領域と信号線の引き回し領域により、パネル外形は四角
形や八角形等になってしまう。この方法によると、たとえ表示領域を非矩形状にできても
、筐体デザイン上の制約が大きくなる。
【０００８】
一方、特許文献３、及び非特許文献１に開示された態様においては、駆動回路の配置を
工夫することにより、従来と同じマトリクス駆動を可能としつつも、非矩形状の表示領域
に沿って、狭額縁化を実現している。しかしながら、この方式では、データドライバ（ソ
ースドライバ）とゲートドライバの間に表示領域の頂点が少なくとも一つ必要であり、表
示領域もその条件に限定される。例えば、円形や楕円形といった、事実上頂点を持たない
形状や、頂点が直角から大きく逸脱した鈍角となる多角形といった形状の表示領域には対
応できない。
【０００９】
上記の課題を鑑み、本発明の一態様では、非矩形状の表示領域においても、額縁の形状
と表示領域の形状を同一もしくは同様とし、且つ狭額縁化を実現することのできる表示装
置の提供を課題の一つとする。また、デザインの自由度の高い表示領域形状においても、
額縁の形状と表示領域の形状を同一もしくは同様とし、かつ狭額縁化を実現することので
きる表示装置の提供を課題の一つとする。または、本発明の一態様では、デザインの自由
度の高い表示領域形状においても、額縁の形状と表示領域の形状を同一もしくは同様とし
、かつ狭額縁化を実現することのできる表示装置の駆動回路を提供することを課題の一つ
とする。または、本発明の一態様では、新規な構成の表示装置を提供することを課題の一
つとする。
【００１０】
なお、これらの課題の記載は、他の課題の存在を妨げるものではない。なお、本発明の
一態様は、これらの課題の全てを解決する必要はないものとする。なお、上記以外の課題
は、明細書、図面、請求項などの記載から、自ずと明らかとなるものであり、明細書、図
面、請求項などの記載から、上記以外の課題を抽出することが可能である。
【課題を解決するための手段】
【００１１】
本発明の一態様は、非矩形状の表示領域と、表示領域の外周に配置された駆動回路部と
、を有し、駆動回路部は、少なくとも２つのゲートドライバと、少なくとも２つのソース
ドライバと、を有し、ゲートドライバの一方とゲートドライバの他方は、離間して配置さ
れ、ソースドライバの一方とソースドライバの他方は、離間して配置されることを特徴と
する表示装置である。
【発明の効果】
【００１２】
本発明の一態様により、表示領域の形状に高い自由度を持たせつつ、かつ狭額縁化によ
る表示装置外形の最小化を実現することができるため、デザイン上の制約に対して柔軟に
対応できる表示装置の提供が可能となる。
【図面の簡単な説明】
【００１３】
【図１】表示装置の上面模式図を説明する図。
【図２】表示装置の上面模式図を説明する図。
【図３】表示装置が有する駆動回路部のタイミングチャートを説明する図。
【図４】表示装置が有する駆動回路部のタイミングチャートを説明する図。
【図５】表示装置の上面模式図を説明する図。
【図６】表示装置に用いることのできる画素回路及び保護回路を説明する回路図。
【図７】電子機器を説明する図。
【発明を実施するための形態】
【００１４】
以下、実施の形態について図面を参照しながら説明する。但し、実施の形態は多くの異
なる態様で実施することが可能であり、趣旨及びその範囲から逸脱することなくその形態
及び詳細を様々に変更し得ることは当業者であれば容易に理解される。従って、本発明は
、以下の実施の形態の記載内容に限定して解釈されるものではない。
【００１５】
また、図面において、大きさ、層の厚さ、又は領域は、明瞭化のために誇張されている
場合がある。よって、必ずしもそのスケールに限定されない。なお図面は、理想的な例を
模式的に示したものであり、図面に示す形状又は値などに限定されない。例えば、ノイズ
による信号、電圧、若しくは電流のばらつき、又は、タイミングのずれによる信号、電圧
、若しくは電流のばらつきなどを含むことが可能である。
【００１６】
また、本明細書にて用いる「第１」、「第２」、「第３」という序数詞は、構成要素の
混同を避けるために付したものであり、数的に限定するものではないことを付記する。
【００１７】
また、本明細書において、ＡとＢとが接続されている、とは、ＡとＢとが直接接続され
ているものの他、電気的に接続されているものを含むものとする。ここで、ＡとＢとが電
気的に接続されているとは、ＡとＢとの間で、何らかの電気的作用を有する対象物が存在
するとき、ＡとＢとの電気信号の授受を可能とするものをいう。
【００１８】
また、本明細書において、「上に」、「下に」などの配置を示す語句は、構成同士の位
置関係を、図面を参照して説明するために、便宜上用いている。また、構成同士の位置関
係は、各構成を描写する方向に応じて適宜変化するものである。従って、明細書で説明し
た語句に限定されず、状況に応じて適切に言い換えることができる。
【００１９】
また、図面におけるブロック図の各回路ブロックの配置は、説明のため位置関係を特定
するものであり、異なる回路ブロックで別々の機能を実現するよう示していても、実際の
回路や領域においては同じ回路や同じ領域内で別々の機能を実現しうるように設けられて
いる場合もある。また図面におけるブロック図の各回路ブロックの機能は、説明のため機
能を特定するものであり、一つの回路ブロックとして示していても、実際の回路や領域に
おいては一つの回路ブロックで行う処理を、複数の回路ブロックで行うよう設けられてい
る場合もある。
【００２０】
（実施の形態１）
本実施の形態では、本発明の一態様の表示装置について、図１乃至図４を用いて説明を
行う。
【００２１】
本発明の一態様の表示装置の一例を図１（Ａ）、（Ｂ）に示す。なお、図１（Ａ）、（
Ｂ）は、表示装置の上面図を模式的に表している。
【００２２】
なお、図１（Ａ）、（Ｂ）に示す表示装置においては、表示領域が円形である場合を例
示している。ただし表示領域は、円形に限定されず、非矩形状の形状であればよい。非矩
形状の形状としては、例えば、５角形以上の多角形、正円、楕円、または円弧および直線
を含む形状など様々な形状が挙げられる。
【００２３】
図１（Ａ）に示す表示装置は、非矩形状の表示領域１０２と、非矩形状の表示領域１０
２の外周に配置された駆動回路部１０４と、を有し、駆動回路部１０４は、第１のゲート
ドライバ１０４ｇ１及び第２のゲートドライバ１０４ｇ２と、第１のソースドライバ１０
４ｓ１及び第２のソースドライバ１０４ｓ２と、を有する。
【００２４】
また、第１のゲートドライバ１０４ｇ１と、第２のゲートドライバ１０４ｇ２と、は離
間して配置されている。また、第１のソースドライバ１０４ｓ１と、第２のソースドライ
バ１０４ｓ２と、は離間して配置されている。
【００２５】
なお、図１（Ａ）に示すように、第１のゲートドライバ１０４ｇ１と、第２のゲートド
ライバ１０４ｇ２と、は対向して配置されると好ましい。また、第１のソースドライバ１
０４ｓ１と、第２のソースドライバ１０４ｓ２と、は対向して配置されると好ましい。こ
のようにゲートドライバまたはソースドライバを対向して配置することにより、非矩形状
の表示領域１０２のマトリクス駆動を好適に行うことができる。とくに、非矩形状の表示
領域１０２の形状が、上下左右対称の構成である場合、駆動回路の一部を対向して配置す
る方法は、有効である。
【００２６】
また、本実施の形態においては、ゲートドライバとソースドライバが、それぞれ２分割
の構成について、例示したがこれに限定されない。例えば、ゲートドライバとソースドラ
イバが、それぞれ３分割以上の構成としてもよく、複数のゲートドライバの少なくとも１
つと、異なる複数のゲートドライバの少なくとも１つと、が離間して配置される構成であ
ればよい。または、複数のソースドライバの少なくとも１つと、異なる複数のソースドラ
イバの少なくとも１つと、が離間して配置される構成であればよい。
【００２７】
また、図１（Ｂ）に示す表示装置は、図１（Ａ）に示す表示装置の変形例であり、非矩
形状の表示領域１０２と、非矩形状の表示領域１０２の外周に配置された駆動回路部１０
４と、の間に保護回路１０６ａ、１０６ｂ、１０６ｃ、１０６ｄが配置されている。図１
（Ｂ）において、保護回路１０６ａは、駆動回路である第１のソースドライバ１０４ｓ１
を保護する機能を有し、保護回路１０６ｂは、駆動回路である第１のゲートドライバ１０
４ｇ１を保護する機能を有し、保護回路１０６ｃは、駆動回路である第２のソースドライ
バ１０４ｓ２を保護する機能を有し、保護回路１０６ｄは、駆動回路である第２のゲート
ドライバ１０４ｇ２を保護する機能をする。
【００２８】
なお、保護回路の構成は上記構成に限定されず、例えば、第１のゲートドライバ１０４
ｇ１、第２のゲートドライバ１０４ｇ２、第１のソースドライバ１０４ｓ１、または第２
のソースドライバ１０４ｓ２の少なくともいずれか一つに設けられるとよい。
【００２９】
ここで、図１（Ａ）、（Ｂ）に示す表示領域をマトリクス駆動する場合について、以下
説明を行う。
【００３０】
図１（Ａ）、（Ｂ）に示す本発明の一態様においては、表示領域１０２の外縁、すなわ
ち円弧を複数に分割し、その分割した外縁の各々の周辺に好適に駆動回路（ゲートドライ
バ、及び／またはソースドライバ）を配置することによって、表示領域を好適にマトリク
ス駆動することができる。
【００３１】
例えば、図１（Ａ）、（Ｂ）に示すように、表示領域が円形である場合は、その円弧を
４分割する。表示領域１０２をある向きで正位置としてみた場合、右上、右下、左上、左
下の４領域に分割されることになる。
【００３２】
図１（Ａ）、（Ｂ）においては、横方向の走査線を制御する駆動回路（第１のゲートド
ライバ１０４ｇ１）を右上に配置し、横方向の走査線を制御する駆動回路（第２のゲート
ドライバ１０４ｇ２）を左下に配置する。また、縦方向の信号線を制御する駆動回路（第
１のソースドライバ１０４ｓ１）を左上に配置し、縦方向の信号線を制御する駆動回路（
第２のソースドライバ１０４ｓ２）を右下に配置する。
【００３３】
上記のような配置とすることで、例えば、右上に配置した第１ゲートドライバ１０４ｇ
１は、画面の上半分の行選択を担当し、左下に配置した第２のゲートドライバ１０４ｇ２
は画面の下半分の行選択を担当する。また、左上に配置した第１のソースドライバ１０４
ｓ１は、画面の左半分の信号入力を担当し、右下に配置した第２のソースドライバ１０４
ｓ２は、画面の右半分の信号入力を担当する。
【００３４】
このような駆動回路の配置方法及び制御方法とすることによって、以下の問題を解決す
ることができる。
【００３５】
非矩形状の表示領域、例えば円形の表示領域を有する表示装置をマトリクス駆動する場
合、従来の制御方法では、表示領域の全ての行、全ての列を選択、制御できるように駆動
回路を配置する必要がある。つまり、円形の表示領域の場合、ソースドライバ及びゲート
ドライバは、少なくともどこかの半周に渡って配置する必要がある。例えば、ソースドラ
イバを半周、ゲートドライバを残りの半周に配置した場合、走査方向が直行あるいはそれ
に準じた方向となるようには決して配置できないため、表示領域の外縁から外れた場所に
、直線的にドライバを配置させる必要がある。
【００３６】
このように、表示領域の外縁から外れた場所にドライバを配置させた場合、表示領域の
外周に駆動回路を配置することができず、結果として、狭額縁化による表示装置外形の最
小化を実現するのが困難である。しかしながら、図１（Ａ）、（Ｂ）に示すように、表示
領域の外縁、すなわち円弧を複数に分割し、その分割した外縁の各々の周辺に駆動回路を
配置することよって、狭額縁化による表示装置外形の最小化を実現することができる。
【００３７】
ここで、図１（Ａ）、（Ｂ）に示す表示装置の各構成要素の詳細について、以下説明を
行う。
【００３８】
＜表示領域＞
表示領域１０２は、Ｘ行（Ｘは２以上の自然数）Ｙ列（Ｙは２以上の自然数）に配置さ
れた複数の表示素子を駆動するための回路（画素回路部ともいう）を有する。該画素回路
部には、走査信号が与えられる複数の走査線の一つを介してパルス信号が入力され、デー
タ信号が与えられる複数の信号線の一つを介してデータ信号が入力される。また、画素回
路部は、ゲートドライバによりデータ信号のデータの書き込み及び保持が制御される。例
えば、該画素回路部は、走査線を介してゲートドライバからパルス信号が入力され、走査
線の電位に応じて信号線を介してソースドライバからデータ信号が入力される。
【００３９】
＜駆動回路部＞
駆動回路部１０４は、表示領域１０２が有する画素回路部を選択する信号（走査信号）
を出力する回路（ゲートドライバともいう）と、表示領域１０２が有する画素回路部の表
示素子を駆動するための信号（データ信号）を供給するための回路（ソースドライバとも
いう）などの駆動回路を有する。駆動回路部１０４の一部または全部は、表示領域１０２
と同一基板上に形成されていることが好ましい。これにより、部品数や端子数を減らすこ
とが可能となる。ただし、駆動回路部１０４の構成はこれに限定されず、例えば、表示領
域１０２と同一基板上に形成されていない構成としてもよい。この場合、駆動回路部１０
４の一部は、ＣＯＧやＴＡＢによって、実装することができる。
【００４０】
＜ゲートドライバ＞
第１のゲートドライバ１０４ｇ１及び第２のゲートドライバ１０４ｇ２は、例えば、シ
フトレジスタ等を有する。第１のゲートドライバ１０４ｇ１及び第２のゲートドライバ１
０４ｇ２は、シフトレジスタを駆動するための信号が入力され、信号を出力する。例えば
、第１のゲートドライバ１０４ｇ１及び第２のゲートドライバ１０４ｇ２は、スタートパ
ルス信号、クロック信号等が入力され、パルス信号を出力する。また、第１のゲートドラ
イバ１０４ｇ１及び第２のゲートドライバ１０４ｇ２は、走査信号が与えられる配線の電
位を制御する機能を有する。または、第１のゲートドライバ１０４ｇ１及び第２のゲート
ドライバ１０４ｇ２は、初期化信号を供給することができる機能を有する。ただし、これ
に限定されず、第１のゲートドライバ１０４ｇ１及び第２のゲートドライバ１０４ｇ２は
、別の信号を供給することも可能である。
【００４１】
＜ソースドライバ＞
第１のソースドライバ１０４ｓ１、及び第２のソースドライバ１０４ｓ２は、シフトレ
ジスタ等を有する。第１のソースドライバ１０４ｓ１、及び第２のソースドライバ１０４
ｓ２は、シフトレジスタを駆動するための信号の他、データ信号の元となる信号（画像信
号）が入力される。第１のソースドライバ１０４ｓ１、及び第２のソースドライバ１０４
ｓ２は、画像信号を元に表示領域１０２が有する画素回路部に書き込むデータ信号を生成
する機能を有する。また、第１のソースドライバ１０４ｓ１、及び第２のソースドライバ
１０４ｓ２は、スタートパルス信号、クロック信号等が入力されて得られるパルス信号に
従って、データ信号の出力を制御する機能を有する。また、第１のソースドライバ１０４
ｓ１、及び第２のソースドライバ１０４ｓ２は、データ信号が与えられる配線の電位を制
御する機能を有する。または、第１のソースドライバ１０４ｓ１、及び第２のソースドラ
イバ１０４ｓ２は、初期化信号を供給することができる機能を有する。ただし、これに限
定されず、第１のソースドライバ１０４ｓ１、及び第２のソースドライバ１０４ｓ２は、
別の信号を供給することも可能である。
【００４２】
また、第１のソースドライバ１０４ｓ１、及び第２のソースドライバ１０４ｓ２は、例
えば複数のアナログスイッチなどを用いて構成される。第１のソースドライバ１０４ｓ１
、及び第２のソースドライバ１０４ｓ２は、複数のアナログスイッチを順次オン状態にす
ることにより、画像信号を時分割した信号をデータ信号として出力できる。また、シフト
レジスタなどを用いて第１のソースドライバ１０４ｓ１、及び第２のソースドライバ１０
４ｓ２を構成してもよい。
【００４３】
＜保護回路＞
保護回路１０６ａ、１０６ｂ、１０６ｃ、１０６ｄは、例えば、第１のゲートドライバ
１０４ｇ１及び／又は第２のゲートドライバ１０４ｇ２と、表示領域１０２が有する画素
回路部の間の配線である走査線に接続される。または、保護回路１０６ａ、１０６ｂ、１
０６ｃ、１０６ｄは、第１のソースドライバ１０４ｓ１及び／又は第２のソースドライバ
１０４ｓ２と、表示領域１０２が有する画素回路部の間の配線である信号線に接続される
。保護回路１０６ａ、１０６ｂ、１０６ｃ、１０６ｄは、自身が接続する配線に一定の範
囲外の電位が与えられたときに、該配線と別の配線とを導通状態にする回路である。
【００４４】
次に、図１（Ａ）に示す表示装置のより具体的な一例を図２に示す。図２は、表示装置
の上面図を模式的に表している。
【００４５】
図２に示す表示装置においては、表示領域が円形であり、直径方向の画素数を４８ドッ
トとして示している。
【００４６】
また、図２に示す表示装置は、非矩形状の表示領域２０２と、非矩形状の表示領域２０
２の外縁の一部に沿って配置された第１のゲートドライバ２０４ｇ１と、非矩形状の表示
領域２０２の外縁の一部に沿って配置された第２のゲートドライバ２０４ｇ２と、非矩形
状の表示領域２０２の外縁の一部に沿って配置された第１のソースドライバ２０４ｓ１と
、非矩形状の表示領域２０２の外縁の一部に沿って配置された第２のソースドライバ２０
４ｓ２と、を有する。
【００４７】
また、第１のゲートドライバ２０４ｇ１は、第１の走査線２０８ｇ１〜第２４の走査線
２０８ｇ２４と接続されている。また、第２のゲートドライバ２０４ｇ２は、第２５の走
査線２０８ｇ２５〜第４８の走査線２０８ｇ４８と接続されている。また、第１のソース
ドライバ２０４ｓ１は、第１の信号線２０８ｓ１〜第２４の信号線２０８ｓ２４と接続さ
れている。また、第２のソースドライバ２０４ｓ２は、第２５の信号線２０８ｓ２５〜第
４８の信号線２０８ｓ４８と接続されている。
【００４８】
なお、図２において、Ｘ方向が走査線（第１の走査線２０８ｇ１〜第４８の走査線２０
８ｇ４８）の方向を表し、Ｙ方向が信号線（第１の信号線２０８ｓ１〜第４８の信号線２
０８ｓ４８）の方向を表す。また、図２において、第２の走査線２０８ｇ２〜第２３の走
査線２０８ｇ２３、第２６の走査線２０８ｇ２６〜第４７の走査線２０８ｇ４７、第２の
信号線２０８ｓ２〜第２３の信号線２０８ｓ２３、及び第２６の信号線２０８ｓ２６〜第
４７の信号線２０８ｓ４７は、煩雑さを避けるために符号については明記していない。
【００４９】
また、図２中に示す矢印の方向は、各駆動回路（第１のゲートドライバ２０４ｇ１、第
２のゲートドライバ２０４ｇ２、第１のソースドライバ２０４ｓ１、及び第２のソースド
ライバ２０４ｓ２）に接続されている走査線または信号線が引き回されている方向を示し
ている。
【００５０】
なお、図２においては、円形の表示領域の円周部に配置された画素は、それぞれが四角
形の形状として表記されているが、この場合は円周部の形状は、ドットに応じて階段状と
なる。さらに、表示領域の円周部の画質を高めたい場合においては、円周部に配置された
画素の画素電極形状を、円周部の形状に合わせて、一辺または二辺に円弧を含む形として
形成し、各画素の円弧が外縁で繋がって円周部を構成するようにしても良い。
【００５１】
図２に示すように、第１のゲートドライバ２０４ｇ１は、非矩形状の表示領域２０２の
上半分の走査線を制御することができる。また、第２のゲートドライバ２０４ｇ２は、非
矩形状の表示領域２０２の下半分の走査線を制御することができる。また、第１のソース
ドライバ２０４ｓ１は、非矩形状の表示領域２０２の左半分の信号線を制御することがで
きる。また、第２のソースドライバ２０４ｓ２は、非矩形状の表示領域２０２の右半分の
信号線を制御することができる。
【００５２】
ここで、図２に示す表示装置の書き込みに関するタイミングチャートを図３及び図４に
示す。
【００５３】
図３に示したタイミングチャートにおいては、第１の走査線２０８ｇ１に入力される走
査信号（Ｇ１）から第２４の走査線２０８ｇ２４に入力される走査信号（Ｇ２４）は、第
１のゲートドライバ２０４ｇ１が制御を行い、続く第２５の走査線２０８ｇ２５に入力さ
れる走査信号（Ｇ２５）以降は、第２のゲートドライバ２０４ｇ２が制御を行う。第１の
ゲートドライバ２０４ｇ１が第２４の走査線２０８ｇ２４に入力される走査信号（Ｇ２４
）を制御したのち、続いて第２のゲートドライバ２０４ｇ２が第２５の走査線２０８ｇ２
５に入力される走査信号（Ｇ２５）を制御するようにタイミング信号を制御する。
【００５４】
このように、図２に示す表示装置の右上に配置した第１のゲートドライバ２０４ｇ１と
、左下に配置した第２のゲートドライバ２０４ｇ２からのパルス出力が連続的となるよう
、各ゲートドライバの動作開始タイミングを制御することで、表示領域の上から下を連続
的に走査することができる。
【００５５】
また、第１のソースドライバ２０４ｓ１及び第２のソースドライバ２０４ｓ２の駆動方
法としては、１行の選択期間内で線順次駆動を行っても良いし、点順次駆動を行っても良
い。
【００５６】
点順次駆動を行う場合は、例えば、図４（Ａ）に示すように、所望の走査線（図４（Ａ
）中において、第ｎの走査線２０８ｇｎ）が選択されている期間中に、所望の信号線にデ
ータ信号（図４（Ａ）中において、第１の信号線２０８ｓ１から第４８の信号線２０８ｓ
４８に入力されるデータ信号Ｓ１〜Ｓ４８）を入力すれば良い。なお、図４（Ａ）に示す
タイミングチャートにおいて、ハッチング領域は信号線にデータ信号が出力されていない
状態、白抜きの領域は信号線に所望のデータ信号が出力されている状態を示す。
【００５７】
また、線順次駆動を行う場合は、例えば、図４（Ｂ）に示すように、所望の走査線（図
４（Ｂ）中において、第ｎの走査線２０８ｇｎ）が選択されている期間中に信号線には同
じタイミングでデータ信号（図４（Ｂ）中において、Ｓ１〜Ｓ４８）が出力される。
【００５８】
以上のように本実施の形態に示す表示装置においては、非矩形状の表示領域に対し、駆
動回路部であるゲートドライバ、及びソースドライバをそれぞれ分割し、離間して配置、
好ましくは対向して配置することで、非矩形状の表示領域の駆動をマトリクス駆動するこ
とが可能となる。したがって、表示領域の形状に高い自由度を持たせつつ、且つ狭額縁化
による表示装置外形の最小化を実現することができるため、デザイン上の制約に対して柔
軟に対応できる表示装置の提供が可能となる。
【００５９】
本実施の形態に示す構成は、他の実施の形態に示す構成と適宜組み合わせて用いること
ができる。
【００６０】
（実施の形態２）
本実施の形態においては、先の実施の形態１に示す表示装置と異なる構成について、図
５を用いて説明を行う。
【００６１】
図５（Ａ）、（Ｂ）、（Ｃ）は、本発明の一態様の表示装置であり、表示装置の上面図
を模式的に表している。
【００６２】
なお、図５（Ａ）、（Ｂ）、（Ｃ）において、図中の矢印の方向は、各駆動回路に接続
されている走査線または信号線の制御を行う方向を示している。
【００６３】
図５（Ａ）に示す表示装置は、図１（Ａ）に示す表示装置の変形例であり、非矩形状の
表示領域４０２と、非矩形状の表示領域４０２の外周に配置された駆動回路部と、を有し
、駆動回路部は、第１のゲートドライバ４０４ｇ１と、第２のゲートドライバ４０４ｇ２
と、第３のゲートドライバ４０４ｇ３と、第４のゲートドライバ４０４ｇ４と、第１のソ
ースドライバ４０４ｓ１と、第２のソースドライバ４０４ｓ２と、第３のソースドライバ
４０４ｓ３と、第４のソースドライバ４０４ｓ４と、を有する。
【００６４】
なお、第１のゲートドライバ４０４ｇ１と、第３のゲートドライバ４０４ｇ３及び／又
は第４のゲートドライバ４０４ｇ４と、は離間して配置されている。また、第２のゲート
ドライバ４０４ｇ２と、第３のゲートドライバ４０４ｇ３及び／又は第４のゲートドライ
バ４０４ｇ４と、は離間して配置されている。また、第１のソースドライバ４０４ｓ１と
、第３のソースドライバ４０４ｓ３及び／又は第４のソースドライバ４０４ｓ４と、は離
間して配置されている。また、第２のソースドライバ４０４ｓ２と、第３のソースドライ
バ４０４ｓ３及び／又は第４のソースドライバ４０４ｓ４と、は離間して配置されている
。
【００６５】
図５（Ａ）に示す表示装置は、３つ以上の複数のゲートドライバと、３つ以上の複数の
ソースドライバを有する構成の場合である。このような場合においても、ゲートドライバ
と、該ゲートドライバと異なるゲートドライバの少なくとも１つが離間して設けられる構
成である。また、ソースドライバと、該ソースドライバと異なるソースドライバの少なく
とも１つが離間して設けられる構成である。
【００６６】
図５（Ａ）においては、横方向の走査線を制御する駆動回路（第１のゲートドライバ４
０４ｇ１及び第２のゲートドライバ４０４ｇ２）を右上に配置し、横方向の走査線を制御
する駆動回路（第３のゲートドライバ４０４ｇ３及び第４のゲートドライバ４０４ｇ４）
を左下に配置し、縦方向の信号線を制御する駆動回路（第１のソースドライバ４０４ｓ１
及び第２のソースドライバ４０４ｓ２）を左上に配置し、縦方向の信号線を制御する駆動
回路（第３のソースドライバ４０４ｓ３及び第４のソースドライバ４０４ｓ４）を右下に
配置する。
【００６７】
上記のような配置とすることで、例えば、右上に配置した第１ゲートドライバ４０４ｇ
１及び第２のゲートドライバ４０４ｇ２は、画面の上半分の行選択を担当し、左下に配置
した第３のゲートドライバ４０４ｇ３及び第４のゲートドライバ４０４ｇ４は、画面の下
半分の行選択を担当する。また、左上に配置した第１のソースドライバ４０４ｓ１及び第
２のソースドライバ４０４ｓ２は、画面の左半分の信号入力を担当し、右下に配置した第
３のソースドライバ４０４ｓ３及び第４のソースドライバ４０４ｓ４は、画面の右半分の
信号入力を担当する。
【００６８】
また、図５（Ａ）に示す表示装置の駆動回路の配置方法としては、例えば、第４のゲー
トドライバ４０４ｇ４は、表示領域４０２の円弧の左下１／８に渡り配置されている。ま
た、第４のゲートドライバ４０４ｇ４の位置に対応する表示領域４０２の円弧の両端の法
線が互いに交わる角度が４５度となる。
【００６９】
図５（Ｂ）に示す表示装置は、表示領域が所謂花形の場合の構成例であり、非矩形状の
表示領域４１２と、非矩形状の表示領域４１２の外周に配置された駆動回路部と、を有し
、駆動回路部は、第１のゲートドライバ４１４ｇ１と、第２のゲートドライバ４１４ｇ２
と、第１のソースドライバ４１４ｓ１と、第２のソースドライバ４１４ｓ２と、を有する
。
【００７０】
なお、第１のゲートドライバ４１４ｇ１と、第２のゲートドライバ４１４ｇ２と、は離
間して配置されている。また、第１のソースドライバ４１４ｓ１と、第２のソースドライ
バ４１４ｓ２と、は離間して配置されている。
【００７１】
また、図５（Ｂ）に示す表示装置においては、図１（Ａ）に示す表示装置と比較し、領
域４１５、４１６、４１７、４１８において、内側に切り欠かれている形状となっている
が、駆動回路部の分割方法については、図１（Ａ）に示す構成と同様とすることができる
。
【００７２】
また、図５（Ｂ）に示す表示装置の駆動回路の配置方法としては、例えば、第２のゲー
トドライバ４１４ｇ２は、表示領域４１２の外縁の左下１／４に渡り配置されている。ま
た、第２のゲートドライバ４１４ｇ２の位置に対応する表示領域４１２の外縁の両端の法
線が互いに交わる角度が９０度となる。
【００７３】
図５（Ｃ）に示す表示装置は、表示領域が図５（Ａ）、（Ｂ）よりも複雑な形状の構成
例であり、非矩形状の表示領域４２２と、非矩形状の表示領域４２２の外周に配置された
駆動回路部と、を有し、駆動回路部は、第１のゲートドライバ４２４ｇ１と、第２のゲー
トドライバ４２４ｇ２と、第３のゲートドライバ４２４ｇ３と、第１のソースドライバ４
２４ｓ１と、第２のソースドライバ４２４ｓ２と、第３のソースドライバ４２４ｓ３を有
する。
【００７４】
なお、第１のゲートドライバ４２４ｇ１と、第２のゲートドライバ４２４ｇ２と、第３
のゲートドライバ４２４ｇ３と、は離間して配置されている。また、第１のソースドライ
バ４２４ｓ１と、第３のソースドライバ４２４ｓ３と、は離間して配置されている。また
、第２のソースドライバ４２４ｓ２と、第３のソースドライバ４２４ｓ３と、は離間して
配置されている。
【００７５】
図５（Ｃ）においては、横方向の走査線を制御する駆動回路（第１のゲートドライバ４
２４ｇ１）を矩形状の短辺に配置し、横方向の走査線を制御する駆動回路（第２のゲート
ドライバ４２４ｇ２）を円形状の右上に配置し、横方向の走査線の制御する駆動回路（第
３のゲートドライバ４２４ｇ３）を円形状の左下に配置し、縦方向の信号線を制御する駆
動回路（第１のソースドライバ４２４ｓ１）を矩形状の長辺に配置し、縦方向の信号線を
制御する駆動回路（第２のソースドライバ４２４ｓ２）を円形状の左上に配置し、縦方向
の信号線を制御する駆動回路（第３のソースドライバ４２４ｓ３）を円形状の右下に配置
する。
【００７６】
上記のような配置とすることで、例えば、第１のゲートドライバ４２４ｇ１は、画面の
中央の行選択を担当し、第２のゲートドライバ４２４ｇ２は、画面の上側の行選択を担当
し、第３のゲートドライバ４２４ｇ３は、画面の下側の行選択を担当する。また、第１の
ソースドライバ４２４ｓ１は、画面の左側の信号入力を担当し、第２のソースドライバ４
２４ｓ２は、画面の中央の信号入力を担当し、第３のソースドライバ４２４ｓ３は、画面
の右側の信号入力を担当する。
【００７７】
また、図５（Ｃ）に示す表示装置の駆動回路の配置方法としては、例えば、第３のソー
スドライバ４２４ｓ３は、表示領域４２２の一部が有する円弧の右下１／４に配置される
。また、第３のソースドライバ４２４ｓ３の位置に対応する表示領域４２２の円弧の両端
の法線が互いに交わる角度は、９０度となる。また、第２のソースドライバ４２４ｓ２、
第２のゲートドライバ４２４ｇ２、及び第３のゲートドライバ４２４ｇ３は、表示領域４
２２の一部が有する円弧の左上の一部、右上の一部、及び左下の一部にそれぞれ配置され
る。また、第２のソースドライバ４２４ｓ２、第２のゲートドライバ４２４ｇ２、及び第
３のゲートドライバ４２４ｇ３の位置に対応する表示領域４２２の円弧の両端の法線が互
いに交わる角度は、９０度より小さくなる。
【００７８】
図５（Ｃ）に示す表示装置は、例えば、自動車やオートバイのインストルメントパネル
等へ適用することができる。
【００７９】
図５（Ｂ）、（Ｃ）に示すように、表示領域が円形でない形状においても、実施の形態
１の図１で説明した円形の表示領域と同様の駆動回路の配置方法を適用することができる
。具体的には、表示領域の外縁上にあるいずれかの点を基準として、外縁を複数に分割し
、その分割した外縁の各々の周辺に、駆動回路を配置する。
【００８０】
また、表示領域の外縁を複数に分割する場合、分割箇所の両端の法線が互いに交わる角
度が直角を越えない角度、又は直角から大きく逸脱しない角度となるように分割箇所を決
められる形状であれば、本発明の一態様は適用可能である。
【００８１】
このように、図５（Ａ）に示すような円形の表示領域、図５（Ｂ）に示すような所謂花
形の表示領域、または図５（Ｃ）に示すような直線と円弧の複合により形成された表示領
域、を有する表示装置においても、本発明の一態様は、適用可能である。
【００８２】
以上のように本実施の形態に示す表示装置においては、非矩形状の表示領域に対し、駆
動回路部であるゲートドライバ、及びソースドライバをそれぞれ分割し、離間して配置す
ることで、非矩形状の表示領域の駆動をマトリクス駆動することが可能となる。したがっ
て、表示領域の形状に高い自由度を持たせつつ、且つ狭額縁化による表示装置外形の最小
化を実現することができるため、デザイン上の制約に対して柔軟に対応できる表示装置の
提供が可能となる。
【００８３】
本実施の形態に示す構成は、他の実施の形態に示す構成と適宜組み合わせて用いること
ができる。
【００８４】
（実施の形態３）
本実施の形態においては、図１（Ａ）に示す表示領域１０２が有する画素回路部に用い
ることができる回路構成について、図６（Ａ）、（Ｂ）を用いて説明する。その後、図１
（Ｂ）に示す保護回路１０６ａ、１０６ｂ、１０６ｃ、１０６ｄに用いることができる回
路構成について、図６（Ｃ）、（Ｄ）を用いて説明する。なお、先の実施の形態に示した
同様の機能を有する箇所については、同様の符号を付し、その詳細な説明は省略する。
【００８５】
まず、図６（Ａ）、（Ｂ）に示す回路構成について、以下説明を行う。
【００８６】
図６（Ａ）に示す画素回路部５１０は、液晶素子５０４と、トランジスタ５０２＿１と
、容量素子５０６＿１と、を有する。
【００８７】
トランジスタ５０２＿１は、例えば、ガラス、またはプラスティック基板上に形成され
た薄膜トランジスタ（ＴＦＴ）を用いることができる。該ＴＦＴは、スタガ型のＴＦＴで
もよいし逆スタガ型のＴＦＴでもよい。また、ＴＦＴに用いる半導体材料としては、非晶
質シリコン、多結晶シリコン、単結晶シリコン等を用いることができる。また、ＴＦＴに
用いる半導体材料としては、酸化物半導体を用いてもよい。該酸化物半導体は、少なくと
もインジウム（Ｉｎ）、亜鉛（Ｚｎ）及びＭ（Ａｌ、Ｇａ、Ｇｅ、Ｙ、Ｚｒ、Ｓｎ、Ｌａ
、ＣｅまたはＨｆ等の金属）を含むＩｎ−Ｍ−Ｚｎ酸化物で表記される層を含むことが好
ましい。または、ＩｎとＺｎの双方を含むことが好ましい。また、該酸化物半導体を用い
たトランジスタの電気特性のばらつきを減らすため、それらと共に、スタビライザーを含
むことが好ましい。
【００８８】
また、ＴＦＴ基板に形成される駆動回路についても、Ｎ型及びＰ型のＴＦＴからなるも
のでもよいし、若しくはＮ型又はＰ型のいずれか一方からのみなるものであってもよい。
【００８９】
液晶素子５０４の一対の電極の一方の電位は、画素回路部５１０の仕様に応じて適宜設
定される。液晶素子５０４は、書き込まれるデータにより配向状態が設定される。なお、
複数の画素回路部５１０のそれぞれが有する液晶素子５０４の一対の電極の一方に共通の
電位（コモン電位）を与えてもよい。また、各行の画素回路部５１０の液晶素子５０４の
一対の電極の一方に異なる電位を与えてもよい。
【００９０】
例えば、液晶素子５０４を備える表示装置の駆動方法としては、ＴＮモード、ＳＴＮモ
ード、ＶＡモード、ＡＳＭ（Ａｘｉａｌｌｙ  Ｓｙｍｍｅｔｒｉｃ  Ａｌｉｇｎｅｄ  Ｍ
ｉｃｒｏ−ｃｅｌｌ）モード、ＯＣＢ（Ｏｐｔｉｃａｌｌｙ  Ｃｏｍｐｅｎｓａｔｅｄ  
Ｂｉｒｅｆｒｉｎｇｅｎｃｅ）モード、ＦＬＣ（Ｆｅｒｒｏｅｌｅｃｔｒｉｃ  Ｌｉｑｕ
ｉｄ  Ｃｒｙｓｔａｌ）モード、ＡＦＬＣ（ＡｎｔｉＦｅｒｒｏｅｌｅｃｔｒｉｃ  Ｌｉ
ｑｕｉｄ  Ｃｒｙｓｔａｌ）モード、ＭＶＡモード、ＰＶＡ（Ｐａｔｔｅｒｎｅｄ  Ｖｅ
ｒｔｉｃａｌ  Ａｌｉｇｎｍｅｎｔ）モード、ＩＰＳモード、ＦＦＳモード、又はＴＢＡ
（Ｔｒａｎｓｖｅｒｓｅ  Ｂｅｎｄ  Ａｌｉｇｎｍｅｎｔ）モードなどを用いてもよい。
また、表示装置の駆動方法としては、上述した駆動方法の他、ＥＣＢ（Ｅｌｅｃｔｒｉｃ
ａｌｌｙ  Ｃｏｎｔｒｏｌｌｅｄ  Ｂｉｒｅｆｒｉｎｇｅｎｃｅ）モード、ＰＤＬＣ（Ｐ
ｏｌｙｍｅｒ  Ｄｉｓｐｅｒｓｅｄ  Ｌｉｑｕｉｄ  Ｃｒｙｓｔａｌ）モード、ＰＮＬＣ
（Ｐｏｌｙｍｅｒ  Ｎｅｔｗｏｒｋ  Ｌｉｑｕｉｄ  Ｃｒｙｓｔａｌ）モード、ゲストホ
ストモードなどがある。ただし、これに限定されず、液晶素子及びその駆動方式として様
々なものを用いることができる。
【００９１】
また、ブルー相（Ｂｌｕｅ  Ｐｈａｓｅ）を示す液晶とカイラル剤とを含む液晶組成物
により液晶素子を構成してもよい。ブルー相を示す液晶は、応答速度が１ｍｓｅｃ以下と
短く、光学的等方性であるため、配向処理が不要であり、視野角依存性が小さい。
【００９２】
ｍ行ｎ列目（ｍ、ｎは、それぞれ２以上の自然数を表す。）の画素回路部５１０におい
て、トランジスタ５０２＿１のソース及びドレインの一方は、信号線ＤＬ＿ｎに電気的に
接続され、他方は液晶素子５０４の一対の電極の他方に電気的に接続される。また、トラ
ンジスタ５０２＿１のゲートは、走査線ＧＬ＿ｍに電気的に接続される。トランジスタ５
０２＿１は、オン状態又はオフ状態になることにより、データ信号のデータの書き込みを
制御する機能を有する。
【００９３】
容量素子５０６＿１の一対の電極の一方は、電位が供給される配線（以下、電位供給線
ＶＬ）に電気的に接続され、他方は、液晶素子５０４の一対の電極の他方に電気的に接続
される。なお、電位供給線ＶＬの電位の値は、画素回路部５１０の仕様に応じて適宜設定
される。容量素子５０６＿１は、書き込まれたデータを保持する保持容量としての機能を
有する。
【００９４】
例えば、図６（Ａ）の画素回路部５１０を有する表示装置では、第１のゲートドライバ
１０４ｇ１及び／または第２のゲートドライバ１０４ｇ２により各行の画素回路部５１０
を順次選択し、トランジスタ５０２＿１をオン状態にしてデータ信号のデータを書き込む
。
【００９５】
データが書き込まれた画素回路部５１０は、トランジスタ５０２＿１がオフ状態になる
ことで保持状態になる。これを行毎に順次行うことにより、画像を表示できる。
【００９６】
また、図６（Ｂ）に示す画素回路部５１０は、トランジスタ５０２＿２と、容量素子５
０６＿２と、トランジスタ５０３と、発光素子５０８と、を有する。
【００９７】
トランジスタ５０２＿２のソース及びドレインの一方は、信号線ＤＬ＿ｎに電気的に接
続される。さらに、トランジスタ５０２＿２のゲートは、走査線ＧＬ＿ｍに電気的に接続
される。
【００９８】
トランジスタ５０２＿２は、オン状態またはオフ状態になることにより、データ信号の
データの書き込みを制御する機能を有する。
【００９９】
容量素子５０６＿２の一対の電極の一方は、電源が与えられる配線（以下、電源線ＶＬ
＿ａという）に電気的に接続され、他方は、トランジスタ５０３のゲートに電気的に接続
される。容量素子５０６＿２の配置については、ＴＦＴの極性によってはこの限りでなく
、トランジスタ５０３のゲート・ソース間電圧を好適に保持できる箇所であれば良い。
【０１００】
容量素子５０６＿２は、書き込まれたデータを保持する保持容量としての機能を有する
。
【０１０１】
トランジスタ５０３のソース及びドレインの一方は、電源線ＶＬ＿ａに電気的に接続さ
れる。さらに、トランジスタ５０３のゲートは、トランジスタ５０２＿２のソース及びド
レインの他方に電気的に接続される。
【０１０２】
発光素子５０８のアノード及びカソードの一方は、電源線ＶＬ＿ｂに電気的に接続され
、他方は、トランジスタ５０３のソース及びドレインの他方に電気的に接続される。
【０１０３】
発光素子５０８としては、例えば有機エレクトロルミネセンス素子（有機ＥＬ素子とも
いう）などを用いることができる。ただし、発光素子５０８としては、これに限定されず
、無機材料からなる無機ＥＬ素子を用いても良い。
【０１０４】
なお、電源線ＶＬ＿ａ及び電源線ＶＬ＿ｂの一方には、高電源電位ＶＤＤが与えられ、
他方には、低電源電位ＶＳＳが与えられる。この場合、発光素子５０８には、電源線ＶＬ
＿ａから電源線ＶＬ＿ｂに向かって電流が流れるが、逆方向に電流が流れるように電源電
位が与えられる場合もある。
【０１０５】
図６（Ｂ）の画素回路部５１０を有する表示装置では、第１のゲートドライバ１０４ｇ
１及び／又は第２のゲートドライバ１０４ｇ２により各行の画素回路部５１０を順次選択
し、トランジスタ５０２＿２をオン状態にしてデータ信号のデータを書き込む。
【０１０６】
データが書き込まれた画素回路部５１０は、トランジスタ５０２＿２がオフ状態になる
ことで保持状態になる。さらに、書き込まれたデータ信号の電位に応じてトランジスタ５
０３のソースとドレインの間に流れる電流量が制御され、発光素子５０８は、流れる電流
量に応じた輝度で発光する。これを行毎に順次行うことにより、画像を表示できる。
【０１０７】
なお、本明細書等において、表示素子、表示素子を有する装置である表示装置、発光素
子、及び発光素子を有する装置である発光装置は、様々な形態を用いること、又は様々な
素子を有することが出来る。表示素子、表示装置、発光素子又は発光装置の一例としては
、ＥＬ（エレクトロルミネッセンス）素子（有機物及び無機物を含むＥＬ素子、有機ＥＬ
素子、無機ＥＬ素子）、ＬＥＤ（白色ＬＥＤ、赤色ＬＥＤ、緑色ＬＥＤ、青色ＬＥＤなど
）、トランジスタ（電流に応じて発光するトランジスタ）、電子放出素子、液晶素子、電
子インク、電気泳動素子、グレーティングライトバルブ（ＧＬＶ）、プラズマディスプレ
イパネル（ＰＤＰ）、ＭＥＭＳ（マイクロ・エレクトロ・メカニカル・システム）を用い
た表示装置、デジタルマイクロミラーデバイス（ＤＭＤ）、ＤＭＳ（デジタル・マイクロ
・シャッター）、ＭＩＲＡＳＯＬ（登録商標）、ＩＭＯＤ（インターフェアレンス・モジ
ュレーション）素子、圧電セラミックディスプレイ、カーボンナノチューブ、など、電気
磁気的作用により、コントラスト、輝度、反射率、透過率などが変化する表示媒体を有す
るものがある。ＥＬ素子を用いた表示装置の一例としては、ＥＬディスプレイなどがある
。電子放出素子を用いた表示装置の一例としては、フィールドエミッションディスプレイ
（ＦＥＤ）又はＳＥＤ方式平面型ディスプレイ（ＳＥＤ：Ｓｕｒｆａｃｅ−ｃｏｎｄｕｃ
ｔｉｏｎ  Ｅｌｅｃｔｒｏｎ−ｅｍｉｔｔｅｒ  Ｄｉｓｐｌａｙ）などがある。液晶素子
を用いた表示装置の一例としては、液晶ディスプレイ（透過型液晶ディスプレイ、半透過
型液晶ディスプレイ、反射型液晶ディスプレイ、直視型液晶ディスプレイ、投射型液晶デ
ィスプレイ）などがある。電子インク又は電気泳動素子を用いた表示装置の一例としては
、電子ペーパーなどがある。
【０１０８】
ＥＬ素子の一例としては、陽極と、陰極と、陽極と陰極との間に挟まれたＥＬ層と、を
有する素子などがある。ＥＬ層の一例としては、１重項励起子からの発光（蛍光）を利用
するもの、３重項励起子からの発光（燐光）を利用するもの、１重項励起子からの発光（
蛍光）を利用するものと３重項励起子からの発光（燐光）を利用するものとを含むもの、
有機物によって形成されたもの、無機物によって形成されたもの、有機物によって形成さ
れたものと無機物によって形成されたものとを含むもの、高分子の材料を含むもの、低分
子の材料を含むもの、又は高分子の材料と低分子の材料とを含むもの、などがある。ただ
し、これに限定されず、ＥＬ素子として様々なものを用いることができる。
【０１０９】
液晶素子の一例としては、液晶の光学的変調作用によって光の透過又は非透過を制御す
る素子がある。その素子は一対の電極と液晶層により構造されることが可能である。なお
、液晶の光学的変調作用は、液晶にかかる電界（横方向の電界、縦方向の電界又は斜め方
向の電界を含む）によって制御される。なお、具体的には、液晶素子の一例としては、ネ
マチック液晶、コレステリック液晶、スメクチック液晶、ディスコチック液晶、サーモト
ロピック液晶、リオトロピック液晶、低分子液晶、高分子液晶、高分子分散型液晶（ＰＤ
ＬＣ）、強誘電液晶、反強誘電液晶、主鎖型液晶、側鎖型高分子液晶、バナナ型液晶など
を挙げることができる。
【０１１０】
電子ペーパーの表示方法の一例としては、分子により表示されるもの（光学異方性、染
料分子配向など）、粒子により表示されるもの（電気泳動、粒子移動、粒子回転、相変化
など）、フィルムの一端が移動することにより表示されるもの、分子の発色／相変化によ
り表示されるもの、分子の光吸収により表示されるもの、又は電子とホールが結合して自
発光により表示されるものなどを用いることができる。具体的には、電子ペーパーの表示
方法の一例としては、マイクロカプセル型電気泳動、水平移動型電気泳動、垂直移動型電
気泳動、球状ツイストボール、磁気ツイストボール、円柱ツイストボール方式、帯電トナ
ー、電子粉流体、磁気泳動型、磁気感熱式、エレクトロウェッテイング、光散乱（透明／
白濁変化）、コレステリック液晶／光導電層、コレステリック液晶、双安定性ネマチック
液晶、強誘電性液晶、２色性色素・液晶分散型、可動フィルム、ロイコ染料による発消色
、フォトクロミック、エレクトロクロミック、エレクトロデポジション、フレキシブル有
機ＥＬなどがある。ただし、これに限定されず、電子ペーパー及びその表示方法として様
々なものを用いることができる。ここで、マイクロカプセル型電気泳動を用いることによ
って、泳動粒子の凝集、沈殿を解決することができる。電子粉流体は、高速応答性、高反
射率、広視野角、低消費電力、メモリ性などのメリットを有する。
【０１１１】
次に、図６（Ｃ）、（Ｄ）に示す回路構成について、以下説明を行う。
【０１１２】
図６（Ｃ）に示す保護回路１０６は、配線５２２と、配線５２４にダイオード接続され
たトランジスタ５２６、５２８が接続されている。配線５２２は、例えば、走査線や信号
線と接続する配線である。
【０１１３】
また、配線５２２は、例えば、図１（Ａ）に示す第１のゲートドライバ１０４ｇ１及び
／又は第２のゲートドライバ１０４ｇ２に電源を供給するための電源線の電位（ＶＤＤ、
ＶＳＳまたはＧＮＤ）が与えられる配線である。または、共通電位（コモン電位）が与え
られる配線（コモン線）である。一例としては、配線５２２は、第１のゲートドライバ１
０４ｇ１及び／又は第２のゲートドライバ１０４ｇ２に電源を供給するための電源線、特
に、低い電位を供給する配線と接続されることが好適である。
【０１１４】
図６（Ｄ）に示す保護回路１０６は、配線５３０と、配線５３２と、配線５３４と、配
線５３６と、配線５４０にダイオード接続されたトランジスタ５４２、５４４、５４６、
５４８が接続されている。配線５３０、５３２、５３４は、例えば、信号線ＤＬである。
【０１１５】
表示装置に保護回路１０６を設けることによって、表示領域１０２、及び駆動回路部１
０４は、ＥＳＤ（Ｅｌｅｃｔｒｏ  Ｓｔａｔｉｃ  Ｄｉｓｃｈａｒｇｅ：静電気放電）な
どにより発生する過電流に対する耐性を高めることができる。
【０１１６】
本実施の形態に示す構成は、他の実施の形態に示す構成と適宜組み合わせて用いること
ができる。
【０１１７】
（実施の形態４）
本実施の形態においては、先の実施の形態１乃至実施の形態３で説明した表示装置を有
する電子機器の一例について図７を用いて説明を行う。
【０１１８】
図７（Ａ）は、オートバイまたは自動車のインストルメントパネルであり、筐体６０２
、表示パネル６０５、６０６、６０７、６０８、針６１０、６１１、６１２、インジケー
ター６２１、６２２、等を有することができる。
【０１１９】
表示パネル６０５、６０６、６０７、６０８は、非矩形状の表示領域を有している。な
お、本実施の形態においては、表示パネル６０５、６０６、６０７、６０８が分離された
構成について例示したがこれに限定されず、例えば、表示パネル６０５、６０６、６０７
、６０８を一体に形成する構成としてもよい。
【０１２０】
表示パネル６０５、６０６、６０７、６０８は、スピードメーター、タコメーター、燃
料計、水温計、距離計等のオートバイまたは自動車の走行に必要な情報を指し示す情報を
表示することが可能である。
【０１２１】
また、インジケーター６２１、６２２は、方向指示器の動作を認識するために設置され
ており、インジケーター６２１、６２２に対しても本発明の一態様の表示装置を適用する
ことができる。
【０１２２】
図７（Ｂ）は、スマートウオッチであり、筐体７０２、表示パネル７０４、操作ボタン
７１１、７１２、接続端子７１３、バンド７２１、留め金７２２、等を有することができ
る。
【０１２３】
ベゼル部分を兼ねる筐体７０２に搭載された表示パネル７０４は、非矩形状の表示領域
を有している。表示パネル７０４は、時刻を表すアイコン７０５、その他のアイコン７０
６等を表示することができる。
【０１２４】
なお、図７（Ｂ）に示すスマートウオッチは、様々な機能を有することができる。例え
ば、様々な情報（静止画、動画、テキスト画像など）を表示部に表示する機能、タッチパ
ネル機能、カレンダー、日付又は時刻などを表示する機能、様々なソフトウェア（プログ
ラム）によって処理を制御する機能、無線通信機能、無線通信機能を用いて様々なコンピ
ュータネットワークに接続する機能、無線通信機能を用いて様々なデータの送信又は受信
を行う機能、記録媒体に記録されているプログラム又はデータを読み出して表示部に表示
する機能、等を有することができる。
【０１２５】
また、筐体７０２の内部に、スピーカ、センサ（力、変位、位置、速度、加速度、角速
度、回転数、距離、光、液、磁気、温度、化学物質、音声、時間、硬度、電場、電流、電
圧、電力、放射線、流量、湿度、傾度、振動、におい又は赤外線を測定する機能を含むも
の）、マイクロフォン等を有することができる。
【０１２６】
なお、本実施の形態に示す構成などは、他の実施の形態に示す構成と適宜組み合わせて
用いることができる。
【符号の説明】
【０１２７】
１０２    表示領域
１０４    駆動回路部
１０４ｇ１    ゲートドライバ
１０４ｇ２    ゲートドライバ
１０４ｓ１    ソースドライバ
１０４ｓ２    ソースドライバ
１０６    保護回路
１０６ａ    保護回路
１０６ｂ    保護回路
１０６ｃ    保護回路
１０６ｄ    保護回路
２０２    表示領域
２０４ｇ１    ゲートドライバ
２０４ｇ２    ゲートドライバ
２０４ｓ１    ソースドライバ
２０４ｓ２    ソースドライバ
２０８ｇ１    走査線
２０８ｇ２    走査線
２０８ｇ２３    走査線
２０８ｇ２４    走査線
２０８ｇ２５    走査線
２０８ｇ２６    走査線
２０８ｇ４７    走査線
２０８ｇ４８    走査線
２０８ｓ１    信号線
２０８ｓ２    信号線
２０８ｓ２３    信号線
２０８ｓ２４    信号線
２０８ｓ２５    信号線
２０８ｓ２６    信号線
２０８ｓ４７    信号線
２０８ｓ４８    信号線
４０２    表示領域
４０４ｇ１    ゲートドライバ
４０４ｇ２    ゲートドライバ
４０４ｇ３    ゲートドライバ
４０４ｇ４    ゲートドライバ
４０４ｓ１    ソースドライバ
４０４ｓ２    ソースドライバ
４０４ｓ３    ソースドライバ
４０４ｓ４    ソースドライバ
４１２    表示領域
４１４ｇ１    ゲートドライバ
４１４ｇ２    ゲートドライバ
４１４ｓ１    ソースドライバ
４１４ｓ２    ソースドライバ
４１５    領域
４１６    領域
４１７    領域
４１８    領域
４２２    表示領域
４２４ｇ１    ゲートドライバ
４２４ｇ２    ゲートドライバ
４２４ｇ３    ゲートドライバ
４２４ｓ１    ソースドライバ
４２４ｓ２    ソースドライバ
４２４ｓ３    ソースドライバ
５０２＿１    トランジスタ
５０２＿２    トランジスタ
５０３    トランジスタ
５０４    液晶素子
５０６＿１    容量素子
５０６＿２    容量素子
５０８    発光素子
５１０    画素回路部
５２２    配線
５２４    配線
５２６    トランジスタ
５２８    トランジスタ
５３０    配線
５３２    配線
５３４    配線
５３６    配線
５４０    配線
５４２    トランジスタ
５４４    トランジスタ
５４６    トランジスタ
５４８    トランジスタ
６０２    筐体
６０５    表示パネル
６０６    表示パネル
６０７    表示パネル
６０８    表示パネル
６１０    針
６１１    針
６１２    針
６２１    インジケーター
６２２    インジケーター
７０２    筐体
７０４    表示パネル
７０５    アイコン
７０６    アイコン
７１１    操作ボタン
７１２    操作ボタン
７１３    接続端子
７２１    バンド
７２２    留め金
【図１】
2020154330.tif 000003
【図２】
2020154330.tif 000004
【図３】
2020154330.tif 000005
【図４】
2020154330.tif 000006
【図５】
2020154330.tif 000007
【図６】
2020154330.tif 000008
【図７】
2020154330.tif 000009
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
表示領域と、第１のゲートドライバ部と、第２のゲートドライバ部と、第１のソースドライバ部と、第２のソースドライバ部と、第１乃至第４の保護回路部と、を有し、
前記表示領域と前記第１のソースドライバ部との間に、前記第１の保護回路部を有し、
前記表示領域と前記第１のゲートドライバ部との間に、前記第２の保護回路部を有し、
前記表示領域と前記第２のソースドライバ部との間に、前記第３の保護回路部を有し、
前記表示領域と前記第２のゲートドライバ部との間に、前記第４の保護回路部を有し、
前記第１のソースドライバ部と、前記第２のソースドライバ部とは対向し、
前記第１のゲートドライバ部と、前記第２のゲートドライバ部とは対向する、表示装置。